(57)【要約】      （修正有）【課題】鋼製の虹彩フックは虹彩を移動操作時に使用され、柔軟な合成樹脂の虹彩レトラクターは虹彩を牽引しその位置に留め置く場合に使用される。虹彩を牽引しその位置に留め置く虹彩レトラクターは可撓性な方が眼内組織を損傷せず又眼内に挿入し易いことが特徴である。可撓性合成樹脂の虹彩レトラクターは柔軟が故に難症例では眼内での操作性が難しい場合があり、フックや鑷子での補助が必要となる。特に小瞳孔で浅前房患者に、より安全な白内障手術を提供すること。【解決手段】眼科手術時に患者の虹彩組織を牽引するために患者眼内に挿入される先端が可撓性な鉤の根部を硬性な支持棒に接合固定した虹彩レトラクターにより眼内操作性の良い手術を提供する。位置決めストッパーＳを硬性支持棒Ｙ上に設けた、可撓性合成樹脂Ｒ及び硬性支持棒Ｙよりなる虹彩レトラクターを提供する。【選択図】図３
0003115747.tif 000002
【実用新案登録請求の範囲】
【請求項１】
眼科手術時に患者の虹彩組織を牽引するために患者眼内に挿入される先端が可撓性合成樹脂よりなる鉤の根部を硬性な支持棒に接合固定したことを特徴とする可撓性合成樹脂の鉤及び硬性支持棒よりなる虹彩レトラクター。
【請求項２】
位置決めストッパーを硬性支持棒上に設けた、可撓性合成樹脂の鉤及び硬性支持棒よりなる請求項１に記載の虹彩レトラクター。
【請求項３】
可撓性合成樹脂が、ポリプロピレン、ナイロン、シリコーン、ポリ塩化ビニル、ポリフッ化ビニル、ポリメチルメタクリレート、ポリアミド、形状記憶樹脂から選ばれ、硬性な支持棒はステンレス鋼やデルリン、ポリイミド、プラスチックの硬性合成樹脂から選ばれた可撓性合成樹脂の鉤及び硬性支持棒よりなる請求項１に記載の虹彩レトラクター。
【請求項４】
先端の可撓性合成樹脂の太さが直径０．０５〜０．２５ｍｍで、硬質な支持棒の太さが直径０．１〜０．９ｍｍの支持棒であることを特徴とする可撓性合成樹脂の鉤及び硬性支持棒よりなる請求項１に記載の虹彩レトラクター。
【考案の詳細な説明】
【技術分野】
【０００１】  本考案は、白内障患者の白内障摘出手術時に虹彩を牽引するための牽引器具に関する。
【背景技術】
【０００２】  ヒト水晶体は加齢や外傷により白濁し、白内障となり、一般にその多くは白内障手術により眼内透明性を得た後、視力矯正のため眼内レンズが元の水晶体の位置に移植される。白内障手術時に患者が小瞳孔であると水晶体前嚢切開に始まる水晶体摘出手術が困難となる。患者の瞳孔を拡大するために鋼製の虹彩フック或いは可撓性合成樹脂の虹彩レトラクターが使用される。【０００３】
【特許文献１】  特許公開２００１−２９３０２７号公報
【特許文献２】  米国特許Ｎｏ．６，１８３，４８０公報
【特許文献３】  米国特許出願Ｎｏ．ＵＳ２００２／００９１３０６Ａ１公報
【考案の開示】
【考案が解決しようとする課題】
【０００４】  鋼製の虹彩フックは虹彩を移動操作時に使用され、合成樹脂の虹彩レトラクターは虹彩を牽引しその位置に留め置く場合に使用される。虹彩を牽引しその位置に留め置く虹彩レトラクターは可撓性な方が眼内組織を損傷せず又眼内に挿入し易いことが特徴である。可撓性合成樹脂の虹彩レトラクターは可撓性が故に眼内での操作性が難しく、フックや鑷子での補助が必要となる場合がある。一般的手術としては、鋼製の虹彩フックを虹彩の移動操作時に使用し、虹彩レトラクターで虹彩をその部位で留め置く方法が取られる。続いて水晶体前嚢切開や水晶体超音波乳化吸引が行われる。特に小瞳孔、浅前房、虹彩後癒着、チン小帯脆弱な兆候のある患者に、より安全な白内障手術を提供すること。
【課題を解決するための手段】
【０００５】    眼科手術時に患者の虹彩組織を牽引するために患者眼内に挿入される先端が可撓性な鉤の根部を硬性な支持棒に接合固定したことを特徴とする可撓性合成樹脂の鉤及び硬性支持棒よりなる虹彩レトラクターにより眼内操作性の良い手術を提供する。位置決めストッパーを硬性支持棒上に設けた、可撓性合成樹脂及び硬性支持棒よりなる虹彩レトラクターを提供する。虹彩レトラクターの可撓性合成樹脂が、ポリプロピレン、ナイロン、シリコーン、ポリ塩化ビニル、ポリフッ化ビニル、ポリメチルメタクリレート、ポリアミド、形状記憶樹脂から選ばれ、硬性な支持棒はステンレス鋼やデルリン、ポリイミド、プラスチック等の硬性合成樹脂から選ばれた支持棒であることが好ましい。虹彩レトラクターの先端が可撓性の鉤である合成樹脂の太さが直径０．０５〜０．２５ｍｍで、硬質支持棒の太さが直径０．１〜０．９ｍｍの支持棒が好ましい。
【考案の効果】
【０００６】  本考案の虹彩レトラクターを白内障患者の眼内に挿入する時に硬性の支持棒を鑷子で把持し操作するので、しっかりと把持でき、操作がし易く、更に眼内に入った先端部の操作性が器具全体が柔軟な合成樹脂でできているものより格段に操作性が良くなりより手術が安全に施行される。【０００７】  本考案の虹彩レトラクターを白内障患者の眼内に挿入した後に続く前嚢切開や超音波乳化吸引及び眼内レンズ移植を施行しても安定して虹彩を捕らえており、信頼性の高い白内障・眼内レンズ移植手術が施行できる。チン小帯が脆弱な場合や前房が浅い場合そして小瞳孔や虹彩後癒着の場合に本考案の虹彩レトラクターの支持棒が虹彩を安定して牽引し、虹彩レトラクター先端挿入時、や虹彩縁を掛ける時に支持棒操作で簡便に瞳孔拡張が行える。全体が柔軟な虹彩レトラクターは柔軟な故に操作し辛く、全体が硬い虹彩レトラクターでは操作は簡単だが、先端が接触するかも知れない角膜内皮や虹彩を損傷する可能性が高くなる。本考案の虹彩レトラクターはそれら軟硬の両方の利点を兼ね添えている。【０００８】  前嚢ＡＥ切開を完成しないと眼内レンズが偏位して水晶体嚢Ｃ内に移植されたり、水晶体超音波乳化吸引術がうまく行かないと水晶体Ｌが硝子体Ｖ内に落下したりして白内障・眼内レンズ移植に影響を及ぼす。本考案の虹彩レトラクターは安定して虹彩を牽引し、下方に押さえ、以降の手技を成功させ得る。
【考案を実施するための最良の形態】
【０００９】  図１の斜視図及び図２の断面図は考案の実施例の一つであり、虹彩レトラクター先端Ｒが鉤となる。この最先端Ｒの曲がり部Ｔで虹彩縁を牽引する。虹彩レトラクター支持棒Ｙは構成の金属或いは合成樹脂で虹彩レトラクターの術者の操作性を高めている。図２では虹彩レトラクター先端Ｒの根部が支持棒Ｙの先端に嵌められ、かしめ部Ｑでかしめられ固定されている。図１及び図２の虹彩レトラクターの術者手元側Ｐが眼外で術者が操作する。図１及び図２の位置決めストッパーＳは虹彩牽引位置が決まった後に虹彩レトラクターが動かないように固定するためにある。虹彩レトラクターを使用すると図３の前嚢ＡＥが大きく露出し、チン小帯Ｚが脆弱な場合や前房Ａｃが浅い場合そして小瞳孔や虹彩後癒着の場合に前嚢ＡＥ切開や続く手術が行い易くなる。
【実施例１】
【００１０】  図１及び図２は考案の実施例であり、虹彩レトラクター先端Ｒは太さ直径０．１５ｍｍの２８ゲージのナイロン糸で支持棒Ｙ先端から鉤となる先端Ｔまで１．５ｍｍとした。支持棒Ｙは長さ６．５ｍｍ、太さ０．２ｍｍステンレス鋼棒を使用し、虹彩レトラクター全長８．０ｍｍとした。支持棒Ｙ先端に直径０．１６ｍｍの穴を設け、この穴に最先端Ｒの根部を嵌め、図１及び図２のようにかしめ部Ｑでかしめ、虹彩レトラクター先端Ｒを支持部Ｙに固定した。かしめはステンレス鋼で行えるが、支持棒Ｙが合成樹脂では熱融着や接着剤での先端Ｒ根部固定が選択される。曲がり部Ｔは半径０．５ｍｍで虹彩縁を牽引する。図１及び図２の支持棒Ｙ上で位置決めのため摺動する位置決めストッパーＳは軟性シリコーンを用いた。
【実施例２】
【００１１】  屠殺後の摘出豚眼を用い、実施例１で製作した虹彩レトラクターを図３のように試用した。強角膜縁に幅１ｍｍで穿刺し、創口Ｗを作成し、虹彩レトラクターの支持棒術者側Ｐを鑷子で把持し虹彩レトラクター先端部Ｒより前房Ａｃ内に先端部Ｒを挿入した。次に図１や図２のように先端部Ｒの最先端部Ｄより鉤となるＴで虹彩Ｉｕを捕らえ、図３のように手前に虹彩Ｉｕを牽引した。充分牽引し、ストッパーＳで虹彩レトラクターを固定した。同様な操作を市販のポリプロピレン製の虹彩レトラクターで行なった。操作性は本考案の虹彩レトラクターの方が眼内で補助となるフックや鑷子に頼る必要が感じられず、格段に操作し易かった。本考案の虹彩レトラクターは小瞳孔や浅前房のような白内障手術が困難な症例により有効であると考えられた。
【産業上の利用可能性】
【００１２】  上述したように本発明の虹彩レトラクターは、白内障手術時の虹彩をしっかりと牽引するとともに、本器眼内挿入時の操作性を高めることができ、特に小瞳孔や浅前房のような症例に対して安全度の高い白内障・眼内レンズ移植手術を提供できる。
【図面の簡単な説明】
【００１３】
【図１】虹彩レトラクターの一例で斜視図。
【図２】図１のＸ−Ｘ’線に沿った虹彩レトラクターの断面図。
【図３】虹彩レトラクターを眼内に装着した前眼部の部分概略断面図。
【符号の説明】
【００１４】Ａｃ    前房
ＡＥ    水晶体前嚢
Ｃ      水晶体嚢
Ｄ      虹彩レトラクターの鉤の最先端
Ｋ      角膜
Ｌ      水晶体
Ｐ      虹彩レトラクター手元側
Ｒ      可撓性合成樹脂の虹彩レトラクター先端部
Ｉｄ    下部虹彩
Ｉｕ    上部虹彩
Ｓ      位置決めストッパー
Ｔ      鉤となる湾曲部
Ｖ      硝子体
Ｗ      切開創
Ｙ      硬性支持棒
Ｚ      チン小帯
【図１】
0003115747.tif 000003
【図２】
0003115747.tif 000004
【図３】
0003115747.tif 000005